(57)【特許請求の範囲】
【請求項１】
外部接続端子群を設けたカードが開口端側から挿入される挿入空間を有し、かつ前記カードを前記挿入空間内への挿入量が小なる第１の装着位置と挿入量が大なる第２の装着位置とに選択的に装着可能なハウジングと、
前記外部接続端子群に接触可能な複数の端子片を有して前記挿入空間内の第１の保持位置と第２の保持位置との間で往復移動可能であり、前記第１の保持位置では前記複数の端子片が前記第１の装着位置に装着された前記カードの前記外部接続端子群に接触し、かつ前記第２の保持位置では前記複数の端子片が前記第２の装着位置に装着された前記カードの前記外部接続端子群に接触するヘッダ部材と、
前記ヘッダ部材を前記第１の保持位置と前記第２の保持位置とに選択的に保持可能であり、かつ該ヘッダ部材を前記第２の保持位置から前記第１の保持位置へと移動させる機構を有する保持手段と、
前記第１の装着位置に装着されている前記カードを排出可能な排出手段と、
本体装置から導出されて前記ヘッダ部材の前記端子片群に接続されたケーブルとを備え、
前記排出手段に、前記カードの挿入排出方向に沿って往復移動可能な第１のスライダと、この第１のスライダの移動に伴い第１のカム溝に沿って移動する第１の係合ピンと、前記第１のスライダを前記排出方向へ向けて弾性付勢する第１の付勢部材と、前記第１のスライダに回動自在に軸支されて前記カードに対し前記排出方向への力を付与可能な係合アームと、前記カードの挿入位置が前記第１の装着位置に到達していない場合に前記係合アームの外方への回転を規制する回転規制部と、前記カードが前記第１の装着位置から前記第２の装着位置へ移動する過程で前記係合アームの外方への回転を許容して該係合アームを退避させる回転許容部とを設け、
前記保持手段に、前記ヘッダ部材に一体化された第２のスライダと、この第２のスライダの移動に伴いピン係止部を有する第２のカム溝に沿って移動する第２の係合ピンと、前記第２のスライダを前記カードの排出方向へ向けて弾性付勢する第２の付勢部材とを設け、
前記カードを前記第２の装着位置に装着させる際に、前記回転規制部により回転規制された前記係合アームは前記カードと共に押し込まれ、前記第１の装着位置と前記第２の装着位置の間で前記係合アームが前記回転許容部内へ退避して前記係合アーム及び前記第１のスライダの奥方への移動が規制され、更に前記カードを押し込むと、前記第１の保持位置にある前記ヘッダ部材が前記第２の保持位置まで移動するように構成し、
前記第２の係合ピンを前記ピン係止部に係止させると前記第２のスライダの移動が阻止されて前記ヘッダ部材が前記第２の保持位置に保持され、かつ、前記第２の係合ピンを前記ピン係止部から離脱させると前記第２のスライダが前記第２の付勢部材に付勢されて前記排出方向へ移動すると共に、前記ヘッダ部材が前記第２の保持位置から前記第１の保持位置へと移動して該第１の保持位置に保持されるように構成したことを特徴とするカード用コネクタ装置。
【請求項２】
請求項１の記載において、前記ケーブルがフレキシブルプリント基板からなることを特徴とするカード用コネクタ装置。
【請求項３】
請求項２の記載において、前記各端子片が前記ヘッダ部材の手前側の端部に片持ち梁状に支持されていると共に、前記フレキシブルプリント基板が前記ハウジングの奥側から手前へ延びて前記各端子片の固定端部に半田付けされていることを特徴とするカード用コネクタ装置。
【請求項４】
請求項１〜３のいずれか一項に記載において、挿入排出方向の長さが異なる２種類の前記カードに対して、一方の短寸カードを前記第１の装着位置に装着したときに該カードが前記開口端から外方へ突出する寸法と、他方の長寸カードを前記第２の装着位置に装着したときに該カードが前記開口端から外方へ突出する寸法とが略同等になるように、前記第１および第２の装着位置を設定したことを特徴とするカード用コネクタ装置。
【発明の詳細な説明】
【０００１】
【発明の属する技術分野】
本発明は、小型メモリカードやＳＤカードなどと呼称されるカードを装着して、このカードに設けられた外部接続端子群をパソコン等の電子装置に設けられた電子回路に接続させるカード用コネクタ装置に係り、特に、多機能化に伴うカードの長寸化に対応したカード用コネクタ装置に関する。
【０００２】
【従来の技術】
従来より、パソコンや電子カメラ等の電子装置に着脱自在に装着されて情報の書き込みや読み取りが行えるカード（以下、ＳＤカードと称する）が知られている。この種のカードは、外形形状が略方形のカード状に形成されており、片面の一端部に複数の外部接続端子が列設されている。また、かかるＳＤカードを装着可能な電子装置には、所要の電子回路が設けられた回路基板と、ＳＤカードの外部接続端子群を該電子回路に接続するためのカード用コネクタ装置とが備えられている。
【０００３】
このようなカード用コネクタ装置には、ＳＤカードが開口端側から挿入される挿入空間を有するハウジングと、このハウジングに固定されて挿入空間内に露出する複数の端子片と、装着されたＳＤカードを排出するための排出機構とが備えられている。
【０００４】
ハウジングは通常、絶縁材料からなるフレームと、金属材料または絶縁材料からなるカバーとを組み合わせて構成され、フレームとカバーとの間にＳＤカード用の挿入空間が形成される。各端子片には、挿入空間内に露出してＳＤカードの外部接続端子と接触可能な接触部と、パソコン等の電子装置に設けられた電子回路に半田付けされる半田付け部とが設けられており、挿入空間に挿入されたＳＤカードが所定の装着位置に装着されているとき、その外部接続端子群が各端子片の接触部と接触するように設計されている。
【０００５】
排出機構としては例えば、ＳＤカードに係合して往復移動可能なスライダと、このスライダをカード排出方向へ弾性付勢するコイルばねと、ハート型カム溝にガイドされる係合ピンとを備えた構成のものが知られている。このものは、スライダと係合ピンとを協働させることにより、所定の装着位置に装着されているＳＤカードの手前側の端部（後端部）を操作者が手指で押し込むと、該カードがスライダと共に手前へ移動して容易に排出できるようになっている。
【０００６】
【発明が解決しようとする課題】
ところで、近年、ＳＤカードを単なる記憶媒体として使用するだけでなく、送受信回路等を設けることにより通信機器として使用するという要望が高まっており、それに伴い、これまでのＳＤカードに比べて、端子仕様は同じであるが長さ寸法を大きくしたＳＤカードの登場が予想されている。例えば、長寸のＳＤカードの後端側に近距離無線通信用のアンテナ回路を設け、このアンテナ回路を使用するときだけＳＤカードを浅い挿入状態でコネクタ装置に装着しておき、アンテナ回路を使用しないときには、ＳＤカードを深い挿入状態でコネクタ装置に差し込んでおくという使われ方が今後十分に考えられる。
【０００７】
しかしながら、従来のカード用コネクタ装置は、かかる長寸のＳＤカードを装着することを想定した構造にはなっていないので、該ＳＤカードを所定量挿入させて電気的な接続を図ることはできても、例えばアンテナ回路を使用しないときに該ＳＤカードを深く差し込んで収納しておくということができない。すなわち、従来のカード用コネクタ装置を通常品よりも長いＳＤカードに適用させようとすると、ハウジングの挿入空間の開口端から手前へ該ＳＤカードを大きく突出させた状態にしておかねばならないので、外観が悪いというだけでなく、該ＳＤカードをコネクタ装置に装着したままノート型パソコン等の電子装置本体を携帯しなければならず、使い勝手が極めて悪いという問題が起こる。
【０００８】
本発明は、かかる従来技術の不備を解消するためになされたものであって、その目的は、長寸のＳＤカードを挿入量の異なる所望の位置に選択的に装着させることができ、使い勝手が良好なカード用コネクタ装置を提供することにある。
【０００９】
【課題を解決するための手段】
上述した目的を達成するため、本発明によるカード用コネクタ装置は、外部接続端子群を設けたカード（ＳＤカード）が開口端側から挿入される挿入空間を有し、かつ前記カードを前記挿入空間内への挿入量が小なる第１の装着位置と挿入量が大なる第２の装着位置とに選択的に装着可能なハウジングと、前記外部接続端子群に接触可能な複数の端子片を有して前記挿入空間内の第１の保持位置と第２の保持位置との間で往復移動可能であり、前記第１の保持位置では前記複数の端子片が前記第１の装着位置に装着された前記カードの前記外部接続端子群に接触し、かつ前記第２の保持位置では前記複数の端子片が前記第２の装着位置に装着された前記カードの前記外部接続端子群に接触するヘッダ部材と、前記ヘッダ部材を前記第１の保持位置と前記第２の保持位置とに選択的に保持可能であり、かつ該ヘッダ部材を前記第２の保持位置から前記第１の保持位置へと移動させる機構を有する保持手段と、前記第１の装着位置に装着されている前記カードを排出可能な排出手段と、本体装置から導出されて前記ヘッダ部材の前記端子片群に接続されたケーブルとを備え、前記排出手段に、前記カードの挿入排出方向に沿って往復移動可能な第１のスライダと、この第１のスライダの移動に伴い第１のカム溝に沿って移動する第１の係合ピンと、前記第１のスライダを前記排出方向へ向けて弾性付勢する第１の付勢部材と、前記第１のスライダに回動自在に軸支されて前記カードに対し前記排出方向への力を付与可能な係合アームと、前記カードの挿入位置が前記第１の装着位置に到達していない場合に前記係合アームの外方への回転を規制する回転規制部と、前記カードが前記第１の装着位置から前記第２の装着位置へ移動する過程で前記係合アームの外方への回転を許容して該係合アームを退避させる回転許容部とを設け、前記保持手段に、前記ヘッダ部材に一体化された第２のスライダと、この第２のスライダの移動に伴いピン係止部を有する第２のカム溝に沿って移動する第２の係合ピンと、前記第２のスライダを前記カードの排出方向へ向けて弾性付勢する第２の付勢部材とを設け、前記カードを前記第２の装着位置に装着させる際に、前記回転規制部により回転規制された前記係合アームは前記カードと共に押し込まれ、前記第１の装着位置と前記第２の装着位置の間で前記係合アームが前記回転許容部内へ退避して前記係合アーム及び前記第１のスライダの奥方への移動が規制され、更に前記カードを押し込むと、前記第１の保持位置にある前記ヘッダ部材が前記第２の保持位置まで移動するように構成し、前記第２の係合ピンを前記ピン係止部に係止させると前記第２のスライダの移動が阻止されて前記ヘッダ部材が前記第２の保持位置に保持され、かつ、前記第２の係合ピンを前記ピン係止部から離脱させると前記第２のスライダが前記第２の付勢部材に付勢されて前記排出方向へ移動すると共に、前記ヘッダ部材が前記第２の保持位置から前記第１の保持位置へと移動して該第１の保持位置に保持されるように構成した。
【００１０】
このように構成されるコネクタ装置は、短寸のＳＤカードを挿入して第１の装着位置に装着させることができるのみならず、長寸のＳＤカードを第１の装着位置にも第２の装着位置にも装着させることができるので、長寸のＳＤカードを第１の装着位置に装着させれば、例えばそのＳＤカードに内蔵したアンテナ回路を露出させて通信機器として使用でき、また、長寸のＳＤカードを深く差し込んで第２の装着位置に装着させれば、記憶媒体として使用したり携帯に便利な収納状態に保持しておくことができる。そして、第１の装着位置に装着されて外部接続端子群をヘッダ部材の端子片群と接触させている長寸のＳＤカードを、例えば操作者が手指で奥方へ所定量押し込むことにより、該ＳＤカードに駆動されるヘッダ部材を第１の保持位置から第２の保持位置まで移動させて保持手段に保持させることができると共に、該ＳＤカードを第２の装着位置に装着させることができるので、外部接続端子群と端子片群との接触を維持したまま該ＳＤカードを第１の装着位置から第２の装着位置まで移動させることができる。この場合、ＳＤカードは端子片群を乗り越えて第２の装着位置まで移動するわけではないので、円滑に奥方へ押し込むことができる。また、長寸のＳＤカードが第２の装着位置に装着されているときに、保持手段の保持解除動作等によってヘッダ部材を第２の保持位置から第１の保持位置へと移動させることにより、該ＳＤカードをヘッダ部材で駆動して手前へ移動させることができるので、外部接続端子群と端子片群との接触を維持したまま該ＳＤカードを第２の装着位置から第１の装着位置まで円滑に移動させることができる。
また、第１の装着位置に装着されているＳＤカードを操作者が押し込んで、ヘッダ部材を第１の保持位置から奥方へ所定量移動させることにより、第２の係合ピンを第２のカム溝のピン係止部に係止させて該ヘッダ部材を第２の保持位置に保持することができる。また、第２の装着位置に装着されているＳＤカードを操作者が押し込んで、ヘッダ部材を介して第２の係合ピンをピン係止部から離脱させることにより、第２の付勢部材の弾性力で該ヘッダ部材を第２の保持位置から第１の保持位置まで移動させて該第１の保持位置に保持することができる。したがって、ヘッダ部材を第１の保持位置と第２の保持位置とに選択的に保持させたり両保持位置間で移動させる動作を、長寸のＳＤカードを介して簡単かつ円滑に行うことができる。
また、ＳＤカードが第１の装着位置と第２の装着位置の途中まで挿入された段階で係合アームが回転許容部に退避するため、第１のスライダをそれ以上後退させることなく、前記保持手段の第２のスライダを後退させながらＳＤカードをさらに奥方へ押し込んで第２の装着位置へ到達させることができる。したがって、例えば第１の付勢部材がコイルばねであれば、その伸縮量を抑制することができて長寿命化が図れる。
【００１１】
また、本発明の上述した構成において、前記ケーブルがフレキシブルプリント基板であれば、ヘッダ部材の各端子片との半田付けが容易であるだけでなく、フレキシブルプリント基板を撓ませることにより、ヘッダ部材を第１の保持位置と第２の保持位置との間で移動させても各端子片と本体装置との接続状態に悪影響が及ばなくなるので、好ましい。その際、各端子片がヘッダ部材の手前側の端部に片持ち梁状に支持されていると共に、フレキシブルプリント基板がハウジングの奥側から手前へ延びて各端子片の固定端部に半田付けされていれば、ハウジングの奥行寸法を抑えた小型化が図りやすくなり、かつフレキシブルプリント基板に可撓性を保証した十分な長さが確保しやすくなる。
【００１４】
また、本発明の上述したいずれかの構成において、挿入排出方向の長さが異なる２種類のＳＤカードに対して、一方の短寸カードを前記第１の装着位置に装着したときに該カードが前記開口端から外方へ突出する寸法と、他方の長寸カードを前記第２の装着位置に装着したときに該カードが前記開口端から外方へ突出する寸法とが略同等となるように、前記第１および第２の装着位置を設定しておけば、外観上の共通化が図れるため使用時の意匠性が向上する。
【００１５】
【発明の実施の形態】
発明の実施の形態について図面を参照して説明すると、図１は実施形態例に係るカード用コネクタ装置のカバーを省略して示す平面図、図２は該コネクタ装置のハウジングの平面図、図３は該コネクタ装置のヘッダ部材の平面図、図４は該ヘッダ部材に接続されるフレキシブルプリント基板（以下、ＦＰＣと称する）の平面図、図５は該ＦＰＣを半田付けしたヘッダ部材の平面図、図６は図５に示すヘッダ部材およびＦＰＣの断面図、図７は該コネクタ装置の第１の排出保持機構に設けられたカム溝の説明図、図８は該コネクタ装置の第２の排出保持機構に設けられたカム溝の説明図である。
【００１６】
これらの図に示すカード用コネクタ装置は、パソコン等の電子装置に組み付けられてＳＤカードを装着するためのものであり、所定位置に装着したＳＤカードの外部接続端子群を電子装置本体に設けられた電子回路に接続させることができる。そして、このカード用コネクタ装置は、短寸のＳＤカードが装着できるだけでなく、長寸のＳＤカードも装着できるように構成されている。
【００１７】
具体的な構成について述べると、このカード用コネクタ装置は、絶縁材料からなるフレーム１と金属材料からなる図示せぬカバーとを組み合わせてなるハウジングと、ＳＤカードの外部接続端子群と接触可能な複数の端子片４を有してフレーム１内で往復移動可能なヘッダ部材３と、電子装置本体から導出されてヘッダ部材３の端子片４群に半田付けされたＦＰＣ５と、フレーム１の一側部に設けられた第１の排出保持機構６と、フレーム１の他側部に設けられた第２の排出保持機構７とによって概略構成されている。
【００１８】
前記ハウジングのフレーム１とカバーとの間には、ＳＤカードが開口端８ａ側から挿入される挿入空間８が形成されている。また、図２に示すように、フレーム１の一側部には、第１の排出保持機構６の一部をなすカム溝９と規制壁１０および切欠き１１が形成されており、フレーム１の他側部には、第２の排出保持機構７の一部をなすハート型カム溝１２が形成されている。
【００１９】
図３に示すように、ヘッダ部材３は、窓孔３０ａや押圧壁３０ｂを有する合成樹脂製のベース体３０に複数の端子片４を片持ち梁状に固設してなるもので、本実施形態例ではインサート成形により端子片４群をベース体３０に固設しているが、ベース体３０の成形後に熱がしめ等で端子片４群を取り付けてもよい。このヘッダ部材３は、第２の排出保持機構７によって挿入空間８内の開口端８ａ寄りの第１の保持位置と奥寄りの第２の保持位置とに選択的に保持可能であると共に、これら両保持位置の間で往復移動可能である。また、図６に示すように、各端子片４の自由端部に形成されている接触部４ａが窓孔３０ａからベース体３０上の空間にせり出しており、かつ、各接触部４ａの相対位置関係がＳＤカードの各外部接続端子の相対位置関係（端子配列）と同等に設定されているので、挿入空間８内に挿入されたＳＤカードの各外部接続端子に各接触部４ａを弾接させることができる。また、ヘッダ部材３の手前側（開口端８ａ側）の端部に支持されている各端子片４の固定端部に、図４に示すＦＰＣ５の各ランド５ａが半田付けされているので、ヘッダ部材３をフレーム１内で前進後退させても、ＦＰＣ５が図６に示すように撓んで各端子片４と電子装置本体との電気的な接続が維持されるようになっている。
【００２０】
第１の排出保持機構６は、ＳＤカードを挿入量が小なる第１の装着位置と挿入量が大なる第２の装着位置とに選択的に装着させたり、第１の装着位置に装着されているＳＤカードを排出させるための機構である。そして、ＳＤカードを挿入空間８内の中央部付近まで挿入して第１の装着位置に装着させることにより、その外部接続端子群を前記第１の保持位置に保持されているヘッダ部材３の各端子片４の接触部４ａに接触させることができる。また、ＳＤカードを挿入空間８内の奥部まで挿入して第２の装着位置に装着させることにより、その外部接続端子群を前記第２の保持位置に保持されているヘッダ部材３の各端子片４の接触部４ａに接触させることができる。
【００２１】
第１の排出保持機構６の構成について詳しく説明すると、この第１の排出保持機構６は、ＳＤカードの挿入排出方向に沿って往復移動可能な第１のスライダ１４と、このスライダ１４に回動自在に軸支されてＳＤカードの前縁部と係合可能な係合アーム１５と、第１のスライダ１４の移動に伴い前記カム溝９に沿って移動する第１の係合ピン１６と、この係合ピン１６がカム溝９から脱落しないように押えている押え板１７と、ＳＤカードの一側縁に設けられている凹部に係合可能で第１のスライダ１４に保持された第１の弾性片１８と、ＳＤカードの該凹部に係合可能で係合アーム１５に保持された第２の弾性片１９と、第１のスライダ１４をカード排出方向へ向けて弾性付勢する第１のコイルばね２０とを具備している。また、フレーム１の前記規制壁１０および切欠き１１も第１の排出保持機構６の構成要素であり、規制壁１０はＳＤカードの挿入位置が第１の装着位置に到達していない場合に係合アーム１５の外方への回転を規制する。一方、切欠き１１は、ＳＤカードが第１の装着位置から第２の装着位置へ移動する途中で係合アーム１５の外方への回転を許容して、該係合アーム１５を退避させる。
【００２２】
また、図７に示すように、カム溝９には、第１の係合ピン１６を係止してＳＤカードを第１の装着位置に保持するためのピン係止部２１ａを有するハート型カム溝２１と、ピン係止部２１ａの上流側でハート型カム溝２１に連通して奥方へ延びる第１の案内溝２２と、ピン係止部２１ａの下流側でハート型カム溝２１に連通して奥方へ延びる第２の案内溝２３と、ＳＤカードが第２の装着位置から第１の装着位置へ移動する過程で第１の係合ピン１６の進路をガイドする帰還路２４と、両案内溝２１，２２および帰還路２４に連通して奥方へ延びる延出路２５とが設けられており、第２の案内溝２３はＳＤカードを第１の装着位置から第２の装着位置へ移動可能にする進出経路となっている。また、帰還路２４内には、この帰還路２４を移動中の第１の係合ピン１６を係止してＳＤカードを第１の装着位置に保持するための戻りピン係止部２４ａが形成されており、この帰還路２４は戻りピン係止部２４ａの下流側で第２の案内溝２３に連通させてある。そして、第１の係合ピン１６がピン係止部２１ａもしくは戻りピン係止部２４ａに係止されているとき、第１のスライダ１４の移動が阻止されるため、第１の弾性片１８を介して該スライダ１４と係合しているＳＤカードが第１の装着位置に保持されるようになっている。
【００２３】
一方、第２の排出保持機構７は、ヘッダ部材３を第１の保持位置と第２の保持位置とに選択的に保持したり、第２の保持位置に保持されているヘッダ部材３を第１の保持位置へ移動させるための機構である。この第２の排出保持機構７は、ヘッダ部材３のベース体３０と一体的に成形されてＳＤカードの挿入排出方向に沿って往復移動可能な第２のスライダ２６と、このスライダ２６の移動に伴い前記ハート型カム溝１２に沿って移動する第２の係合ピン２７と、この係合ピン２７がハート型カム溝１２から脱落しないように押えている押え板２８と、第２のスライダ２６をＳＤカードの排出方向へ向けて弾性付勢する第２のコイルばね２９とを具備している。図８に示すように、ハート型カム溝１２にはピン係止部１２ａが形成されており、ＳＤカードが第２の装着位置にあるとき、第２の係合ピン２７が該ピン係止部１２ａに係止されて第２のスライダ２６の移動を阻止するようになっている。また、このとき、前記係合アーム１５に保持された第２の弾性片１９がＳＤカードの凹部と係合してＳＤカードを第２の装着位置に保持できるようになっている。
【００２４】
次に、このように構成されるカード用コネクタ装置の動作を、図９〜図１８を参照して説明する。まず、現在広く採用されている短寸のＳＤカード５０よりも長いＳＤカード６０を使用する場合の動作を、図９〜図１７を用いて説明する。
【００２５】
長寸のＳＤカード６０の挿入方向前端側には、ヘッダ部材３の各端子片４の接触部４ａに接触可能な外部接続端子６１群が設けられている。また、このＳＤカード６０の一側縁には、第１の排出保持機構６の弾性片１８，１９と係合可能な凹部６２が設けられている。かかる長寸のＳＤカード６０は、その幅寸法や外部接続端子６１群の端子配列、および前縁から凹部６２までの距離等が、すべて短寸のＳＤカード５０と同等に設計されている。ただし、長寸のＳＤカード６０の挿入方向後端側には図示せぬアンテナ回路が設けられており、このアンテナ回路をできるだけ良好な感度状態で使用する場合は、後端部分を手前へ露出させた状態でコネクタ装置に装着する必要がある。
【００２６】
図９は、本実施形態例に係るカード用コネクタ装置に対して長寸のＳＤカード６０の挿入を開始した直後の平面図であり、この状態でヘッダ部材３は、第２のコイルばね２９の弾性力でフレーム１の開口端８ａ近傍に押し付けられているため第１の保持位置に保持されている。ＳＤカード６０を図９に示す位置まで挿入すると、その凹部６２に第１の弾性片１８が係合してＳＤカード６０の前縁部に係合アーム１５が当接する。したがって、操作者がＳＤカード６０をさらに挿入していくと、フレーム１の規制壁１０によって外方への回転が規制されている係合アーム１５がＳＤカード６０に押し込まれることとなり、第１のスライダ１４および係合アーム１５がＳＤカード６０に追動して奥方へ移動していき、該スライダ１４の移動に伴い、第１の係合ピン１６がハート型カム溝２１に沿って移動していく。
【００２７】
そして、ＳＤカード６０を第１の装着位置よりも若干量奥まで押し込むと、図１０に矢印で示すように、第１の係合ピン１６がハート型カム溝２１から第１の案内溝２２へと移動するので、押し込み操作力を除去すれば、第１のコイルばね２０の弾性力で第１のスライダ１４および係合アーム１５が手前へ押し戻されて、第１の係合ピン１６をピン係止部２１ａに係止させることができる。これにより、第１の保持位置に保持されているヘッダ部材３の各端子片４の接触部４ａに外部接続端子６１群を接触させた状態で、ＳＤカード６０が第１の装着位置に保持されることとなり、手前に露出するアンテナ回路を良好な感度状態で使用することが可能となる。
【００２８】
また、こうして第１の装着位置に装着されたＳＤカード６０を排出する場合には、図１０の状態のＳＤカード６０を奥方へ浅く押し込んで、第１の係合ピン１６をピン係止部２１ａから離脱させればよい。これにより、第１の係合ピン１６が図９に矢印で示すようにハート型カム溝２１内を下流へ移動するので、第１のコイルばね２０の弾性力で手前へ移動する第１のスライダ１４および係合アーム１５によって、ＳＤカード６０は排出位置まで押し戻される。つまり、操作者は、第１の装着位置に保持されているＳＤカード６０をワンプッシュの簡単な操作で排出させることができる。
【００２９】
また、アンテナ回路を露出させるために第１の装着位置に保持していたＳＤカード６０を、第２の装着位置へ移動させて収納状態とする場合には、図１０の状態のＳＤカード６０を操作者が奥方へ押し込んでいく。すると、第１のスライダ１４の移動に伴って、第１の係合ピン１６は図１１に矢印に示すようにハート型カム溝２１から第２の案内溝２３を経て延出路２５へと移動していく。また、ＳＤカード６０が図１１の位置まで挿入された時点で、係合アーム１５がＳＤカード６０に押されながら外方へ回転してフレーム１の切欠き１１内へ退避するので、係合アーム１５の奥方への移動が規制される。そのため、ＳＤカード６０がさらに奥方へ押し込まれても、第１のスライダ１４は停止したままであり、第１の弾性片１８はＳＤカード６０の凹部６２から離脱する。しかし、ＳＤカード６０を第１の装着位置から奥方へ押し込んでいくと、その前縁部がベース体３０の押圧壁３０ｂを押し込むので、ＳＤカード６０の奥方への移動に追動してヘッダ部材３および第２のスライダ２６が奥方へ移動していき、それに伴い第２の係合ピン２７がハート型カム溝１２に沿って移動していく。なお、こうしてヘッダ部材３がＳＤカード６０に押し込まれると、両者３，６０は一体的に移動するので、各端子片４の接触部４ａと外部接続端子６１群との接触が途切れることはない。
【００３０】
そして、ＳＤカード６０を第２の装着位置よりも若干量奥まで押し込むことにより、第２の係合ピン２７がハート型カム溝１２内を図１２に矢印で示すように移動するので、押し込み操作力を除去すれば、第２のコイルばね２９の弾性力でヘッダ部材３および第２のスライダ２６が手前へ押し戻され、第２の係合ピン２７をピン係止部１２ａに係止させることができ、これによりヘッダ部材３が第２の保持位置に保持されることとなる。また、この状態で、ＳＤカード６０の凹部６２には第２の弾性片１９が入り込んで係合している。つまり、第２の保持位置に保持されているヘッダ部材３の各端子片４の接触部４ａに外部接続端子６１群を接触させた状態で、ＳＤカード６０が第２の装着位置に保持されることとなる。なお、こうして第２の装着位置に装着させることにより、ＳＤカード６０を手前に大きく突出することのない収納状態となすことができるが、受信状況がよければかかる収納状態のままアンテナ回路を使用することもできる。
【００３１】
また、第２の装着位置に保持していた収納状態のＳＤカード６０を第１の装着位置へ移動させる場合には、図１２の状態のＳＤカード６０を奥方へ浅く押し込めばよい。これにより、第２の係合ピン２７がピン係止部１２ａから離脱して、図１３に矢印で示すようにハート型カム溝１２内を下流へ移動するので、第２のコイルばね２９の弾性力でヘッダ部材３および第２のスライダ２６が手前へ移動し、よってＳＤカード６０が押圧壁３０ｂに付勢されて手前へ移動する。その結果、切欠き１１に退避していた係合アーム１５が内方へ回転して第１のスライダ１４が手前へ移動するので、図１４（ａ）に示すように第１の係合ピン１６が延出路２５から帰還路２４へと移動し、さらに図１４（ｂ）に示すように第１の係合ピン１６が帰還路２４の戻りピン係止部２４ａに係止されてＳＤカード６０が第１の装着位置まで押し戻される。この状態で、ヘッダ部材３は第１の保持位置まで戻って保持されている。つまり、操作者は、第２の装着位置に保持されているＳＤカード６０を、ワンプッシュの簡単な操作で第１の装着位置まで移動させて、アンテナ回路を露出させた状態に設定することができる。しかも、ＳＤカード６０を第２の装着位置から第１の装着位置へ移動する過程で、外部接続端子６１群と各端子片４の接触部４ａとの接触が途切れることはないので、例えば収納状態でアンテナ回路を使用しているときに感度が低下した場合、ＳＤカード６０に対するワンプッシュの操作のみでアンテナ回路を露出させて瞬時に感度を高めることができ、使い勝手が格段に良好となる。なお、図１０〜図１４を見れば明らかなように、第１の係合ピン１６の通過する経路は、ＳＤカード６０が第１の装着位置から第２の装着位置へ移動する場合と、逆に第２の装着位置から第１の装着位置へ移動する場合とで異なっている。
【００３２】
こうしてＳＤカード６０を第２の装着位置から第１の装着位置まで移動させてアンテナ回路を露出させた状態とした後、再びＳＤカード６０を第２の装着位置へ移動させる場合、操作者はＳＤカード６０を奥方へ深く押し込めばよい。これにより、図１５（ａ）〜（ｃ）に示すように、戻りピン係止部２４ａに係止されていた第１の係合ピン１６が第２の案内溝２３を経て延出路２５へと移動していくので、そのままＳＤカード６０を押し込んでいけば図１１の状態を経て図１２の状態へ移行する。また、第２の装着位置から第１の装着位置まで移動させてアンテナ回路露出状態としたＳＤカード６０を排出させる場合には、操作者はＳＤカード６０を奥方へ浅く押し込んでから操作力を除去すればよい。これにより、図１６（ａ）〜（ｃ）に示すように、戻りピン係止部２４ａに係止されていた第１の係合ピン１６が第２の案内溝２３の途中まで移動した時点で、第１のコイルばね２０の弾性力によって第１のスライダ１４および係合アーム１５が手前へ押し戻されることになるので、第１の係合ピン１６がハート型カム溝２１を下流へと進み、ＳＤカード６０を排出させることができる。
【００３３】
また、挿入したＳＤカード６０をすぐに収納したい場合には、ＳＤカード６０を第１の装着位置を通り越していきなり第２の装着位置に装着させることもできる。すなわち、挿入したＳＤカード６０を奥方へ深く押し込んでいくと、図１７の矢印に示すように、第１の係合ピン１６がハート型カム溝２１から第１の案内溝２２を経て延出路２５へと移動していくので、そのままＳＤカード６０を押し込んでいけば図１１の状態を経て図１２の状態へ移行する。
【００３４】
次に、このカード用コネクタ装置に短寸のＳＤカード５０を使用する場合の動作を、図１８を参照して説明する。なお、図１８は、短寸のＳＤカード５０を第１の装着位置に装着した状態を示している。
【００３５】
図１８に明らかなように、短寸のＳＤカード５０は奥方の第２の装着位置までは挿入できないので、第１の装着位置のみに装着可能である。また、前述したように、短寸のＳＤカード５０と長寸のＳＤカード６０とは、その幅寸法や外部接続端子群の端子配列等が共通化されている。したがって、図９，１０を用いて説明した動作、つまり、長寸のＳＤカード６０を挿入して第１の装着位置に装着させたり、第１の装着位置に装着されている長寸のＳＤカード６０を排出させる場合の動作と、まったく同等の動作が行われることとなる。すなわち、操作者が短寸のＳＤカード５０をフレーム１の挿入空間８内へ押し込んでいくと、第１の係合ピン１６がハート型カム溝２１を通って第１の案内溝２２へ移動し、押し込み操作力が除去されると該係合ピン１６はハート型カム溝２１に戻ってピン係止部２１ａに係止されるため、ＳＤカード５０を第１の装着位置に装着させることができる。また、図１８の状態でＳＤカード５０を操作者が浅く押し込むと、ピン係止部２１ａに係止されていた第１の係合ピン１６が第２の案内溝２３へ移動するので、押し込み操作力が除去されると該係合ピン１６はハート型カム溝２１を下流へと進んで、ＳＤカード５０を排出させることができる。
【００３６】
このように本実施形態例によれば、短寸のＳＤカード５０を第１の装着位置に装着して使用できるのみならず、長寸のＳＤカード６０を第１および第２の装着位置に選択的に装着して使用することができる。そして、長寸のＳＤカード６０であっても、これを奥方の第２の装着位置に装着すれば収納状態となすことができるので、外観を損なったり携帯に支障をきたす心配はない。しかも本実施形態例では、図１８および図１２に示すように、第１の装着位置に装着させた短寸のＳＤカード５０の後端部が手前に突出する寸法Ｌ１と、第２の装着位置に装着させた長寸のＳＤカード６０の後端部が手前に突出する寸法Ｌ２とが略同等となるように、これら第１および第２の装着位置を設定しているので、外観上の共通化が図れて使用時の意匠性が損なわれない。
【００３７】
また、本実施形態例では、第１の装着位置に装着されているＳＤカードを排出できる第１の排出保持機構６と、第２の装着位置に装着されているＳＤカードをヘッダ部材３を介して手前へ移動可能な第２の排出保持機構７とを設けていると共に、ＳＤカードを第２の装着位置へ押し込む過程でヘッダ部材３が該ＳＤカードに駆動されて一体的に移動し、よって外部接続端子６１群が端子片４群を乗り越えなくて済むようにしてあるので、第１のコイルばね２０の伸縮量を抑制することができて長寿命化が図れ、かつ、ＳＤカードを第２の装着位置に装着する際に、過度な押し込み操作力を必要とせず良好な操作性が期待できる。すなわち、長寸のＳＤカード６０を第１の装着位置と第２の装着位置との間で簡単かつ円滑に往復移動させることができるので、例えば、アンテナ回路を良好な感度状態で使用したいときだけ該ＳＤカード６０を第１の装着位置に装着しておき、それ以外のときは該ＳＤカード６０を第２の装着位置に装着した収納状態にしておくという実用的な使い方が容易に行える。しかも、長寸のＳＤカード６０を第１の装着位置と第２の装着位置との間で移動させる途中で、その外部接続端子６１群とヘッダ部材３の端子片４群との電気的接続が途切れることがないので、操作者はアンテナ回路の受信状況等に応じてＳＤカード６０を所望の装着位置に随時移動させることができ、使い勝手がよい。
【００３８】
また、本実施形態例では、各端子片４がヘッダ部材３の手前側の端部に片持ち梁状に支持されていて、フレーム１の奥側から手前へ延びるＦＰＣ５を各端子片４の固定端部に半田付けしているので、フレーム１の奥行寸法を抑えた小型化が図りやすく、ＦＰＣ５にも可撓性を保証した十分な長さが確保しやすい。
【００３９】
【発明の効果】
本発明は、以上説明したような形態で実施され、以下に記載されるような効果を奏する。
【００４０】
短寸のＳＤカードを挿入して第１の装着位置に装着させることができるのみならず、長寸のＳＤカードを第１の装着位置にも第２の装着位置にも装着させることができるカード用コネクタ装置なので、汎用性に優れ実用的価値も高い。例えば、長寸のＳＤカードにアンテナ回路が形成されている場合、操作者は携帯時等には該ＳＤカードを深く差し込んで第２の装着位置に収納しておき、アンテナ回路を露出させたいときには該ＳＤカードを手前へ突出させて第１の装着位置に装着させるという使い方が可能となる。
【００４１】
また、長寸のＳＤカードの外部接続端子群とヘッダ部材の端子片群との接触を維持したまま、該ＳＤカードを第１の装着位置と第２の装着位置との間で往復移動させることができ、かかる移動時に該ＳＤカードは端子片群を乗り越える必要がないので、本体装置との電気的接続を保ったまま該ＳＤカードを第１および第２の装着位置間で円滑に移動させることができる。例えば、操作者はアンテナ回路の受信状況等に応じて長寸のＳＤカードを所望の装着位置に随時移動させることができるので、使い勝手が良好となる。
また、ヘッダ部材を第１の保持位置と第２の保持位置とに選択的に保持させたり両保持位置間で移動させる動作を、長寸のＳＤカードを介して簡単かつ円滑に行うことができる。
また、例えば第１の付勢部材がコイルばねであれば、その伸縮量を抑制することができて長寿命化が図れる。
【００４２】
また、ヘッダ部材の手前側の端部に各端子片を片持ち梁状に支持し、これら端子片群をＦＰＣによって本体装置と接続しておけば、各端子片の固定端部とＦＰＣとの半田付けが容易であるだけでなく、ＦＰＣを撓ませることにより、ヘッダ部材を第１の保持位置と第２の保持位置との間で移動させても各端子片と本体装置との接続状態に悪影響が及ばなくなるので、信頼性が高まる。しかも、こうすることでハウジングの奥行寸法が低減できるので、コネクタ装置の小型化が図りやすくなる。
【図面の簡単な説明】
【図１】本発明の実施形態例に係るカード用コネクタ装置を示す平面図である。
【図２】該コネクタ装置のハウジングの平面図である。
【図３】該コネクタ装置のヘッダ部材の平面図である。
【図４】該ヘッダ部材に接続されるＦＰＣの平面図である。
【図５】該ＦＰＣを半田付けしたヘッダ部材の平面図である。
【図６】図５に示すヘッダ部材およびＦＰＣの断面図である。
【図７】該コネクタ装置の第１の排出保持機構に設けられたカム溝の説明図である。
【図８】該コネクタ装置の第２の排出保持機構に設けられたカム溝の説明図である。
【図９】長寸のＳＤカードが挿入されている該コネクタ装置の動作説明図である。
【図１０】長寸のＳＤカードが挿入されている該コネクタ装置の動作説明図である。
【図１１】長寸のＳＤカードが挿入されている該コネクタ装置の動作説明図である。
【図１２】長寸のＳＤカードが挿入されている該コネクタ装置の動作説明図である。
【図１３】長寸のＳＤカードが挿入されている該コネクタ装置の動作説明図である。
【図１４】長寸のＳＤカードが挿入されている該コネクタ装置の動作説明図である。
【図１５】長寸のＳＤカードが挿入されている該コネクタ装置の動作説明図である。
【図１６】長寸のＳＤカードが挿入されている該コネクタ装置の動作説明図である。
【図１７】長寸のＳＤカードが挿入されている該コネクタ装置の動作説明図である。
【図１８】短寸のＳＤカードが挿入されている該コネクタ装置の動作説明図である。
【符号の説明】
１  フレーム（ハウジング）
３  ヘッダ部材
４  端子片
４ａ  接触部
６  第１の排出保持機構（排出手段）
７  第２の排出保持機構（保持手段）
８  挿入空間
８ａ  開口端
９  カム溝
１０  規制壁（回転規制部）
１１  切欠き（回転許容部）
１２  ハート型カム溝
１４  第１のスライダ
１５  係合アーム
１６  第１の係合ピン
２０  第１のコイルばね
２１  ハート型カム溝
２１ａ  ピン係止部
２２  第１の案内溝
２３  第２の案内溝
２４  帰還路
２４ａ  戻りピン係止部
２５  延出路
２６  第２のスライダ
２７  第２の係合ピン
２９  第２のコイルばね
３０  ベース体
３０ａ  窓孔
３０ｂ  押圧壁
５０  短寸のＳＤカード
６０  長寸のＳＤカード
６１  外部接続端子
【図１】
0003901476.tif 000002
【図２】
0003901476.tif 000003
【図３】
0003901476.tif 000004
【図４】
0003901476.tif 000005
【図５】
0003901476.tif 000006
【図６】
0003901476.tif 000007
【図７】
0003901476.tif 000008
【図８】
0003901476.tif 000009
【図９】
0003901476.tif 000010
【図１０】
0003901476.tif 000011
【図１１】
0003901476.tif 000012
【図１２】
0003901476.tif 000013
【図１３】
0003901476.tif 000014
【図１４】
0003901476.tif 000015
【図１５】
0003901476.tif 000016
【図１６】
0003901476.tif 000017
【図１７】
0003901476.tif 000018
【図１８】
0003901476.tif 000019